(57)【要約】【課題】留め具１０を取付穴２１に簡単に着脱することができる。【解決手段】側面に横穴２２が形成された筒状の取付穴２１に着脱可能な留め具１０であって、取付穴２１に挿入可能な筒状の胴部１１ｂと、この胴部１１ｂに設けられ、取付穴２１へ挿入不可能な頭部１１ａとを備え、下端が胴部１１ｂの底部により閉塞され、上端が頭部１１ａに設けられた頭部開口部１４ａにおいて開口する穴部１４が形成され、当該留め具１０が取付穴２１に取り付けられた状態で横穴２２に対応する位置において穴部１４を外部に連通させる胴部開口部１４ｂが形成され、穴部１４には、可撓性を有する係止棒１２が、常態においてその一端が頭部開口部１４ａから突出するように挿入され、係止棒１２の他端と、穴部１４の底面との間に弾性体が介装され、係止棒１２は、常態において、胴部開口部１４ｂから先端が突出するように分岐する枝部１３を有することを特徴とする。【選択図】図１
2008164027.tif 000002
【特許請求の範囲】
【請求項１】
側面に凹部が形成された筒状の取付穴に着脱可能な留め具であって、
前記取付穴に挿入可能な筒状の胴部と、この胴部に設けられ、前記取付穴へ挿入不可能な頭部とを備え、
下端が前記胴部の底部により閉塞され、上端が前記頭部に設けられた頭部開口部において開口する穴部が形成され、
当該留め具が前記取付穴に取り付けられた状態で前記凹部に対向する位置において前記穴部を外部に連通させる胴部開口部が形成され、
前記穴部には、可撓性を有する材料からなる棒状の係止部材が、当該係止部材に外力が作用しない常態においてその一端が前記頭部開口部から突出するように挿入され、
前記係止部材の他端と、前記穴部の底面との間に弾性体が介装され、
前記係止部材は、前記常態において、前記胴部開口部から先端が突出するように分岐する枝部を有する
ことを特徴とする留め具。
【請求項２】
前記頭部開口部は前記頭部の側面に設けられ、前記穴部は前記頭部内を横方向に延びると共に、前記胴部内を縦方向に延びるように略Ｌ字型に形成されていることを特徴とする請求項１記載の留め具。
【請求項３】
前記略Ｌ字型に形成された穴部の屈曲部は丸みを持って屈曲されていることを特徴とする請求項２記載の留め具。
【請求項４】
請求項１〜３の何れかに記載の留め具と、前記取付穴が形成された基台とを備える固定装置。
【発明の詳細な説明】
【技術分野】
【０００１】
容易に着脱することができる留め具及び固定装置に関する。
【背景技術】
【０００２】
電子部品の性能を評価する場合、電子部品を取り付ける端子台にコイル、コンデンサ、抵抗等の各電子部品を金具、ネジ等で取り付けて完成させた上で、性能試験を実施している。また、電子部品を変更する場合には、金具、ネジ等で取り付けた電子部品を取り外して、代わりの電子部品を金具、ネジ等で取り付けた上で性能試験を実施している。
【０００３】
ところで、電子部品の性能試験を効率よく実施するための技術として、例えば特許文献１には、電子部品の電気的試験用ボードにおいて、自在に着脱可能な短絡手段により、ある端子と別の端子を簡単に短絡させたり絶縁させたりすることが可能な技術が開示されている。
【特許文献１】特開平７−５１９５号公報
【発明の開示】
【発明が解決しようとする課題】
【０００４】
しかし、特許文献１に記載の技術は、端子台に取り付けられた電子部品同士の接続状態を簡易に変更できるようにしたものであって、電子部品自体の取り付け及び取り外しを簡易にするものではない。
【０００５】
そして、電子部品の取り付け及び取り外しを金具やネジ等で行わなければならず、そのために時間と労力がかかるとの問題がある。
【０００６】
本発明は、電子部品の端子台への取り付け及び端子台からの取り外しを簡易にするとの課題に鑑みてなされたものであり、その目的とするところは、簡単に着脱することができる留め具及び固定装置を提供することにある。
【課題を解決するための手段】
【０００７】
第１の発明は、側面に凹部が形成された筒状の取付穴に着脱可能な留め具であって、
前記取付穴に挿入可能な筒状の胴部と、この胴部に設けられ、前記取付穴へ挿入不可能な頭部とを備え、
下端が前記胴部の底部により閉塞され、上端が前記頭部に設けられた頭部開口部において開口する穴部が形成され、
当該留め具が前記取付穴に取り付けられた状態で前記凹部に対向する位置において前記穴部を外部に連通させる胴部開口部が形成され、
前記穴部には、可撓性を有する材料からなる棒状の係止部材が、当該係止部材に外力が作用しない常態においてその一端が前記頭部開口部から突出するように挿入され、
前記係止部材の他端と、前記穴部の底面との間に弾性体が介装され、
前記係止部材は、前記常態において、前記胴部開口部から先端が突出するように分岐する枝部を有する
ことを特徴とする留め具である。
【０００８】
第２の発明は、前記頭部開口部は前記頭部の側面に設けられ、前記穴部は前記頭部内を横方向に延びると共に、前記胴部内を縦方向に延びるように略Ｌ字型に形成されていることを特徴とする第１の発明に記載の留め具である。
【０００９】
第３の発明は、前記略Ｌ字型に形成された穴部の屈曲部は丸みを持って屈曲されていることを特徴とする第２の発明に記載の留め具である。
【００１０】
第４の発明は、第１〜３の発明の何れかに記載の留め具と、前記取付穴が形成された基台とを備える固定装置である。
【発明の効果】
【００１１】
本発明によれば、例えば電子部品を端子台等に簡単に着脱することができる留め具及び固定装置を提供できる。
【発明を実施するための最良の形態】
【００１２】
以下、本発明の一実施形態である固定装置について説明する。固定装置は、後述する留め具１０と基台２０とによって構成される。固定装置は、留め具１０を基台２０に挿入し固定することにより、電子部品等を固定することができる。
【００１３】
図１は、本実施形態の留め具１０の鉛直方向断面図であり、図２は、留め具１０の斜視図である。
【００１４】
図１、図２に示すように、留め具１０は、留め具本体１１、係止棒１２、弾性体１５（図１）等により構成される。
【００１５】
図１に示すように、留め具本体１１は、扁平な円柱状の頭部１１ａと、頭部１１ａの下面から延びる頭部１１ａより小径の胴部１１ｂとにより構成されている。後述するように、胴部１１ｂは留め具１０が取り付けられる取付穴に丁度挿入できる程度の寸法を有し、頭部１１ａはこの取付穴に挿入できないような寸法を有している。
【００１６】
係止棒挿入孔１４（特許請求の範囲における「穴部」）は、留め具本体１１の頭部１１ａ内を水平に延びると共に胴部１１ｂ内を鉛直方向に延びる略Ｌ型に構成され、一端は、頭部１１ａの側面の頭部開口部１４ａに開口し、他端は、胴部１１ｂの底部によって閉塞されている。
【００１７】
係止棒１２は、ゴム等の可撓性のある材料で構成された棒状の部材であり、係止棒挿入孔１４内に、その略Ｌ型形状に沿った形状に屈曲された状態で挿入されている。そして、係止棒１２に外力が作用しない常態では、その頭部１１ａ側の端部が、頭部１１ａの側面の頭部開口部１４ａから突出している。また、係止棒１２の他端部と、係止棒挿入孔１４の胴部１１ｂ内における底面との間には、例えばコイルバネである弾性体１５が介装されている。
【００１８】
係止棒１２の、胴部１１ｂ内に配置される部分の中間位置には、係止棒１２に対してほぼ垂直に分岐する枝部１３が設けられている。また、胴部１１ｂの枝部１３に対応する位置には、係止棒挿入孔１４を外部に連通させる胴部開口部１４ｂが設けられており、常態において、枝部１３は胴部開口部１４ｂから外側へ突出している。なお、胴部開口部１４ｂは、後述するように、係止棒１２が下方に押し込まれた際に、その内部に枝部１３が斜めになって引き込まれることができる程度に大きな寸法に形成されている。
【００１９】
また、本実施形態では、２組の係止棒挿入孔１４及び係止棒１２が、留め具本体１１の中心軸に関して対称に設けられている。
【００２０】
なお、上記実施形態では、留め具１０の頭部１１ａ及び胴部１１ｂは円柱形であるが、これに限らず多角柱であってもよい。
【００２１】
図３は、留め具１０が挿入されて係止される側の基台２０の鉛直方向断面図である。この基台２０は、例えば電子部品の性能試験等を行う際に電子部品を取り付けるのに用いられる端子台である。図３に示すように、基台２０には、留め具本体１１の胴部１１ｂを挿入可能な取付穴２１が設けられている。この取付穴２１の、留め具１０が挿入された状態で胴部開口部１４ｂに対向する部位には、側方に向けて横穴２２（特許請求の範囲における「凹部」）が形成されている。
【００２２】
図４は、係止棒１２の頭部開口部１４ａからの突出部先端を、例えば手でつまむことなどにより、係止棒挿入孔１４内へ押し込んだ状態を示す断面図である。同図に示すように、係止棒１２の突出部分が押し込まれることで、係止棒１２は、その下端部が弾性体１５を圧縮変形させながら、胴部１１ｂ内を下方へ移動する。このとき、枝部１３の係止棒１２からの分岐位置も下方へ移動することで、図４に示すように、枝部１３は斜めになりながら胴部開口部１４ｂの内部へ引き込まれるように変位する。この状態では、枝部１３は、胴部開口部１４ｂから突出していないので、図５に示すように、留め具１０基台２０の取付穴２１に挿入することができる。
【００２３】
こうして、留め具１０を基台２０の取付穴２１に挿入した後、係止棒１２の先端を押し込む力を開放すると、弾性体１５の形状が復元して、留め具１０は図１に示す常態に戻る。このとき、図６に示すように、胴部開口部１４ｂから突出した枝部１３が、取付穴２１の横穴２２に挿入されることで、留め具１０がロックされ、留め具１０は取付穴２１にしっかりと固定される。
【００２４】
留め具１０を取付穴２１から取り外す場合は、上記図４に示したように、係止棒１２の突出部先端を押し込むと、枝部１３が胴部開口部１４ｂ内へ引き込まれて胴部開口部１４ｂから突出しない（つまり、横穴２２に入り込まない）状態となる。これにより、枝部１３が横穴２２に挿入することによるロック状態が解消され、留め具１０を取付穴２１から取り外すことができる。
【００２５】
なお、ロック時に枝部１３を横穴２２に挿入させるためには、枝部１３と横穴２２の軸周り方向の位置が一致する状態で留め具１０を取付穴２１に挿入する必要がある。そこで、留め具１０の外周に軸方向に延びる凸部を設けると共に、取付穴２１の内周に前記凸部が嵌合する溝を設けることなどにより留め具１０の軸周り方向の位置決めを行えるようにすることが好ましい。ただし、胴部が角柱状の場合はそのような位置決め機構は不要である。あるいは、横穴２２を取付穴２１の全周に亘る環状溝として構成することにより、留め具１０の軸周り方向の向きにかかわらず枝部１３が横穴２２に挿入される構成としてもよい。
【００２６】
さて、留め具１０は、例えば、電子部品の試験装置等において部品を固定する端子台に適用することができる。図７（ａ）及び（ｂ）は、留め具１０を端子台に用いた使用例であり、図７（ａ）は平面図であり、図７（ｂ）は断面図である。端子台として用いられる基台２０には２つ取付穴２１ａと２１ｂが設けられており、基台２０の上面には金属等の導電材からなる端子板２４が取り付けられている。留め具１０ａ、１０ｂにより、部品３１の端子３１ａ、部品３２の３２ａをそれぞれ固定すると、部材２４を介して部品３１、３２が接続される。また、留め具１０は簡単に取り外すことができるので、別の部品に取り替えるのも容易である。
【００２７】
ところで、上記実施形態では、２組の係止棒１２、係止棒挿入孔１４を設ける構成としたが、例えば図８に示すように、１組の係止棒１２、係止棒挿入孔１４のみを設ける構成としてもよい。
【００２８】
また、図９に示すように、１４の屈曲部を丸みをもって屈曲するように構成することで、係止棒１２をよりスムーズに押し込むことができる。
【００２９】
さらに、図１０に示すように、枝部１３は斜め上方に突き出るようにしてもよい。この場合、取付穴２１の横穴２２も、この枝部１３の形状に合わせて、横穴２２の入口から奥に向かって上っていく形状とする。
【００３０】
図１１も、留め具１０の更に別の実施例である。図１に示される留め具１０の係止棒１２は、Ｌ字型となっているが、図１１に示されるように真っ直ぐ留め具１０の頂部上面から突出するようにしていてもよい。この場合、留め具１０を持ちやすいようにするために、指入部１６を設けてもよい。この場合、例えば、人差し指と中指を指入部１６に置いて親指で係止棒１２の末端部分を押し込みつつ、留め具１０を取付穴２１に挿入するというようにして使用することができる。
【００３１】
以上の通り、本実施形態の留め具１０によれば、係止棒１２の末端部分を指で押し込むだけで、留め具１０を取付穴２１に簡単に着脱することができる。
【００３２】
すなわち、従来は、例えば電子部品等の端子台への取り付け取り外しは、ネジをドライバ等によりネジ穴に締め込んだり緩めたりする作業が必要であったが、留め具１０を電子部品の端子台に用いることで、ワンタッチで素早く簡単に取り付け取り外しを行うことができる。
【００３３】
さらに、ネジ頭で強力に接続端子を押さえつける必要がある場合、ネジを強く締める必要があったが、図１０の形状の留め具１０によれば斜め上方に突き出た枝部１３が横穴２２の上部を押さえることにより留め具１０は下方へ押え付けられ、留め具１０の頭部によって電子部品等を強力に押さえつけることができる。なお、図７の形状の留め具１０によっても、ワンタッチで素早く簡単に固定することができる。
【００３４】
なお、以上の実施形態の説明は、本発明の理解を容易にするためのものであり、本発明を限定するものではない。本発明はその趣旨を逸脱することなく、変更、改良され得ると共に本発明にはその等価物が含まれることは勿論である。
【図面の簡単な説明】
【００３５】
【図１】本発明の実施形態である留め具１０の鉛直方向の断面図である。
【図２】本発明の実施形態である留め具１０の斜視図である。
【図３】本発明において利用する基台２０の鉛直方向の断面図である。
【図４】本発明の実施形態である留め具１０の動作を示す断面図である。
【図５】留め具１０を基台２０に取り付け、取り外すときの状態を示す断面図である。
【図６】留め具１０を基台２０に取り付けて固定したときの状態を示す断面図である。
【図７】留め具１０を端子を固定するのに使用した例である。
【図８】本発明の実施形態である留め具１０の別の鉛直方向の断面図である。
【図９】本発明の実施形態である留め具１０の別の鉛直方向の断面図である。
【図１０】本発明の実施形態である留め具１０の別の鉛直方向の断面図である。
【図１１】本発明の実施形態である留め具１０の別の鉛直方向の断面図である。
【符号の説明】
【００３６】
１０  留め具
１１  留め具本体
１２  係止棒
１３  枝部
１４  係止棒挿入孔
１５  弾性体
１６  指入部
２０  基台
２１  取付穴
２２  横穴
【図１】
2008164027.tif 000003
【図２】
2008164027.tif 000004
【図３】
2008164027.tif 000005
【図４】
2008164027.tif 000006
【図５】
2008164027.tif 000007
【図６】
2008164027.tif 000008
【図７】
2008164027.tif 000009
【図８】
2008164027.tif 000010
【図９】
2008164027.tif 000011
【図１０】
2008164027.tif 000012
【図１１】
2008164027.tif 000013